(57)【要約】【課題】ボルトのネジ山に生じた損傷または錆び箇所の発生を補修する際に、狭い場所や左右に障害物のある箇所においては一般的なハンドルダイスを用いることが出来ないが、そのような場合にも要補修ボルトのネジ山に生じた損傷または錆び箇所の発生を容易にかつ確実に補修できるようにする。【解決手段】刃部１と切削屑孔２を備えたネジ切り孔３を有するダイス４本体の外周面が角形ナット部５の形状をし、そのダイス４本体の下部に係止盤６を一体的に備えている。ダイス４本体の外周面の角形ナット部５の形状は、要補修ボルト１０と対になるナットとほぼ同径の大きさである。常備の六角レンチ等の工具１１で、要補修ボルト１０に螺合したダイス４を回転することにより、狭い場所や左右に障害物のある箇所においても要補修ボルト１０のネジ山に生じた損傷または錆びを容易にかつ確実に除去補正や修正ができる。【選択図】図１
0003111678.tif 000002
【実用新案登録請求の範囲】
【請求項１】
刃部１と切削屑孔２を備えたネジ切り孔３を有するダイス４本体の外周面が角形ナット部５の形状をし、そのダイス４本体の下部に係止盤６を一体的に備えていることを特徴とするネジ山修正ダイス。
【請求項２】
前記ネジ切り孔３がダイス４から前記係止盤６に貫通していることを特徴とする請求項１に記載のネジ山修正ダイス
【請求項３】
刃部１を備えたネジ切り孔３を有するダイス４本体の外周面が角形ナット部５の形状をし、そのダイス４本体の下部に係止盤６を一体的に備えていて、係止盤６には刃部１のない連通したガイド孔７を設け、その連通したガイド孔７はダイス４から係止盤６に貫通するに際して所要の傾斜角度で開いた状態で形成されていることを特徴とするネジ山修正ダイス。
【請求項４】
前記係止盤６の外周面に長手方向に向かって水平ライン８を設けたことを特徴とする請求項１，請求項２、請求項３のいずれかに記載のネジ山修正ダイス
【請求項５】
請求項１〜請求項４のいずれかに記載のネジ山修正ダイスを要補修ボルト１０のピッチ及び径毎にダイス４のサイズを対応させて形成し、それらの複数個以上を1つのセットとしたことを特徴とするネジ山修正ダイス
【考案の詳細な説明】
【技術分野】
【０００１】
本考案は、ボルトのネジ山に生じた損傷または錆び等が生じたときにこれを補修するためのネジ山修正ダイスに関するものである。
【背景技術】
【０００２】
従来、主として、車両、工作機械等のボルトのネジ山を修正する場合、ボルトを取り外すことなく行える工具として、たとえば左右にハンドルを備えたハンドルダイス（左右ハンドルに装着して使用するダイス＝図１０のダイス斜視図参照）を用いて補正し修正するのが一般的である。
【０００３】
図１０により従来のハンドルダイスを用いてネジ山補修する場合について説明すると、まずハンドルダイスは、一直線状の左右一対のハンドルはダイス固定用のリングに螺着され、その先端の雄ねじ（図示せず）によりダイスの外周部を押圧して固定するようになっている。
従来のハンドルダイスは、一対のハンドルの全長は１５０ｍｍから２００ｍｍもあるので、要補修ボルトにダイスを被せて非力でも回転させて切削補修することができる構造である。しかし、図７や図９のような箇所、図１０に示すように自動車のエキゾーストパイプ部分のボルト破損、サビ、バリの除去  コンクリート等の異物の付着除去の要請があったときなどのように、狭い場所や左右に障害物のある箇所での作業はできないという課題があった。
又、アンカーボルト、スポット溶接ボルト、スタットボルトなど容易に交換できないもので、従来のハンドルダイスが使用できない箇所では、その破損箇所の補修は容易ではなかった。
【０００４】
実際、前記従来のハンドルダイスでは既述の通り狭い箇所に位置するボルトの修正は、ハンドルを回転できず、補修は、困難または不可能であった。
【０００５】
このような状況下では、従来はやむを得ず部品全体を交換するか、ヤスリ掛けの手作業によりネジ山の潰れた箇所を修正、補正していた。
部品の全部交換は無駄な経費になり、又ヤスリによる手作業修正は、実は簡単ではなく熟練を要するし労力や時間を要し、逆に補修できない状況になってしまうこともある。
【０００６】
このような課題に対応するものとしては次のような先例公報が開示されている。
これらは、ネジ山修正の度合いの調節ができる構成のもの、プライヤーの先端にダイスを設けたものであるが、比較的狭い箇所でも適用できそうな先例である。
【特許文献１】特開２００１−３８５２６（ボルトのネジ山修正具）
【特許文献２】特開平０９−２２５７４２（ボルトのネジ山補正治具）
【考案の開示】
【考案が解決しようとする課題】
【０００７】
本考案が解決しようとする課題は、何らかの事情で、ボルトのネジ山が損傷破損したときに、ハンドルダイス等のダイスが使用できない箇所でも簡単かつ迅速にネジ山の修正、補正ができる治具であるネジ山修正ダイスを提供することである。
しかもその場合において、そのボルトに螺合する対となるナットを締め付ける工具が常備されているのが通常であるので、その工具を使用して、ネジ山の修正、補正ができるネジ山修正ダイスを提供する。
本考案は、ボルトの損傷したネジ山を修正して、対のナットをしっかり締めることができるようにするネジ山修正ダイスを提供することを目的とし、さらに具体的には、ダイス自体と回転力付与をする回転部とを分離して、回転部は常備されるはずの工具で置換代用でき、どのような箇所に位置するボルトでも修正できるようなダイスを提供することである。
【課題を解決するための手段】
【０００８】
前記の課題を解決するために、本考案では、ダイス部分とハンドル等の操作部分を分離して認識構成することで、ハンドル等はボルトの設置箇所や存在箇所に応じて選択できることとして、まずダイスをハンドルに固定することなく各種の回転工具を使用できる構成としたダイスを案出したものである。
この考案の背景には、ボルトとナットの組み合わせで構成されたボルトは、ナットの締め付け工具（レンチ等）がその位置に適するようなかたちで準備されているという前提があり、その場合は、原則その常備された締め付け工具を使用できる状況であることであるので、あえて余計なハンドルや回転力付与のための工具を準備しないという発想がある。
【０００９】
請求項１に記載の基本となるネジ山修正ダイスは、ダイスの基本構造（刃部と切削屑孔を有する構造）と、これを回転させる工具に適するような外形であるナット形状と、要補修ボルトに対となるナットとは明瞭に区別できるように係止部である係止盤を設けた形状と、その係止盤の縁が回転させる工具を係止する機能を有するように構成されたことを特徴とする。
刃部１（ネジ山、ネジ溝を修正する螺旋形の刃）と切削屑孔２（切削した屑、付着した異物を排出する孔）を備えたネジ切り孔３を有するダイス４本体の外周面が六角形などの角形ナット部５の形状（当該ボルトに装填されるナットの角形状と同じ形状）をし、そのダイス４本体の下部に円盤形などの係止盤６（工具を係止して工具からの力を受けるための係止縁を有する形態）を一体的に備えていることを特徴とするものである。
前記ネジ切り孔３は、ダイス４の上面から前記係止盤６に貫通しているものや、途中まで刃部１を形成した形態がある。
刃部１が途中まである形態のダイス４は、ネジ切り孔３を有するダイス４本体の外周面が角形ナット部５の形状をし、そのダイス４本体の下部に係止盤６を一体的に備えていて、係止盤６には刃部１のない連通したガイド孔７を設け、そのガイド孔７はダイス４の部分から係止盤６に貫通するに際して刃部１の端部から所要の傾斜角度で開いた状態で連通して形成されている。
傾斜した面には、刃はなくスライドする平面であり、ガイドのために若干の湾曲を形成しても良い。
【００１０】
なお、本考案のダイスには、ダイス４の回転方向の目視確認に役立つ前記係止盤６の外周面に長手方向に向かっての目印である水平ライン８を設けている。
水平ライン８は、切削条でも溝形でも印刷でもよい。又水平ライン８の所々に垂直ライン８１を設けている。垂直ライン８１は、その回転した位置でどの辺りのネジに損傷が起きているのかも認知できる目印になる。
これらはダイス４を回転させる場合の水平方向や垂直方向の目安になる。
ダイスを回転させるときには、ボルトの軸方向と直交する方向乃至はネジの傾斜に相当する傾斜に合致して回しているかを確認しながら力を入れることができるので、切削ミスもない。
本考案のネジ山修正ダイスは、要補修ボルト１０のピッチ及び径毎にダイス４のサイズを対応させて形成し、それらの複数個以上を1つのセットとしている。
寸法の異なるボルト（JIS規格）用に、数種類のネジ山修正ダイスをセットとして用意すれば、どのような箇所の要補修ボルト１０にも適用できる。
実売では、数種類のダイスをセットした分野別のものが好ましい。
【００１１】
本考案においては、ダイス４本体の外周面が六角形等の角形ナット部５の形状をしているため、本来要補修ボルト１０に螺合する６角形のナットを締め付ける工具即ち常備工具を用いてネジ山修正ダイスを回すことができる。
つまりハンドルダイスを使用しなくとも、本考案のネジ山修正ダイスを要補修ボルト１０に置き、当然に用意されているナットを締め付ける工具１１である六角レンチ、スパナ等でダイス４本体を回転させて、破損した要補修ボルト１０を切削補修することができる。
ちなみに、要補修ボルト１０とナットを組み合わせているものには、そのナットを締め付ける工具１１として、Ｔ型レンチ・モンキーレンチ・その他のレンチが締め付け工具として準備されている。
【考案の効果】
【００１２】
本考案のネジ山修正ダイスは、第一に回転付与のための装備乃至は機構を別のものとして装置しないで、既設の装備として準備されたレンチ等の工具をそのまま使用するものであるので、全体として低廉な価格で提供できる価格的効果がある。
第二に、そのボルトに螺合するナットの締め付け工具は必ず準備されているものであるので、ダイスをそれで回すことができるので不必要なハンドル部材を重複して準備することもなく、又狭いという理由で切削作業ができないということもなくなる。
第三にネジ山修正ダイスで補修する場合に、既設工具を咬ませて回転切削するときに、係止盤部分があるためにその当該工具がしっかり止まり回転や脱着がスムースである。特に回転し始めに力かけるときには、その力はしっかりダイスに伝達できる。
第四に寸法の違うネジ山修正ダイスをセットで準備しているので、大抵のボルトの補修が可能である。
第五にダイス本体の係止盤部分の側周面に、水平ライン及び又は垂直ラインを形成して、ボルトへの嵌合や回転切削が視認でき適正になるようにガイドしたので、切削ミスを防止できるものとなっている。
第六に係止盤部分にガイド孔を設けた構成では、ボルトの中心を外すことなく適正位置で切削等の補修開始ができるスムースさがある。
【考案を実施するための最良の形態】
【００１３】
次に本考案に係るネジ山修正ダイスの実施形態を図面に基づいて説明する。
【００１４】
図１〜図８に示すものが、本考案に係るネジ山修正ダイスの実施例を示すものである。
なお、図９は、従来のダイスではなかなか補修できない箇所にある要補修ボルトを示す側面図、図１０は、自動車のエキゾーストパイプのスポット溶接ボルトにサビや損傷が生じた場合に、当該要補修ボルトが従来のハンドルダイスでは回転できない箇所にあることを示すものである。このような箇所にあるスポット溶接ボルトの補修ができないときは、部品全体を交換することもある。
【実施例１】
【００１５】
図１は、刃部１と切削屑孔２を備えたネジ切り孔３を有するダイス４本体の外周面が六角形の角形ナット部５の形状をし、そのダイス４本体の下部に角形ナット部５の径より大きい円形の係止盤６を一体的に備えた実施例１を示すものである。
刃部１は、ネジ山、ネジ溝を修正する螺旋形の一部に当たる刃条を形成した部分、切削屑孔２は、刃部１が切削した屑、付着した異物を排出する孔である。ダイス４は、この刃部１と切削屑孔２を備えて、要補修ボルト１０を入れるネジ切り孔３を有する。
ダイス４本体の外周面は、要補修ボルト１０に装填されるナットの外周面角形状と同じ形状が最も好ましい。
六角形などの角形ナット部５の形状とは、六角ナットの形状或いは四角ナットの形状等を指す。
ダイス４本体の下部には円盤形などの係止盤６を一体的に備えている。
係止盤６は工具を係止して工具からの力を受けるための係止縁を有する形態である。
係止盤６は、工具を係止してダイス４に押圧力を伝達する。
図示では、係止盤6の大きさを径大にした円筒形状にしているが、使用ナットと同径或いは同径以上であることが必要であるので、係止盤６も可及的に角形ナット部５と同径或いは同径以上であることが好ましい。
つまり円盤形の係止盤６の大きさは、後述の工具１１を係止するためにも縁をはみ出した角形ナット部５と同径か径大になる。
係止盤６は、強度の要請に応じて厚さや大きさ、形状を変えて実施することができる。円盤状に限らず、四角形等の角形でもよい。
【００１６】
又、前記刃部１の刃数は所要数に設定するが、刃数が多いと刃部１の剛性が低くなるため刃の数は適宜設計される。実施例では９〜６枚を設けたものを示している。
ダイス４の材質・硬さは、ＪＩＳ規格のＳＫＤ工具鋼などを採用する。
【００１７】
前記ダイス４本体の下部に位置する係止盤６は、角形ナット部５をスパナ等で締める際には位置決めとストッパー（係止具）のような働きをするものであるから、その径は角形ナット部５と同径（円弧縁が出る大きさ）か、または図示のように径大で縁が出ている形状であることが好ましい。
しかし、角形ナット部５の径に比して係止盤６が大きすぎると、図７、図９、図１０のような狭い箇所にダイス４本体が入らなくなり切削作業ができなくなるため、係止盤６の径は角形ナット部５と同径で、円弧状の縁が出る程度で、常備の回転工具１１が係止すればよい。
係止盤６は強度上の要請で、厚さや径を設定できるが、そのほかに、ナットと異なる外観形態にするためにも必要である。
ナットと間違えて残置することがないように、ナットと勘違いをしないような見分けの付く形態や着色が必要である。
【実施例２】
【００１８】
図３は前記係止盤６の外周面に長手方向に向かって水平ライン８を設け、その水平ライン８に垂直に垂直ライン８１を設けた実施例２である。
【００１９】
前記水平ライン８及び垂直ライン８１により、ダイス４を回転させる場合の水平方向や垂直方向の目安になる。
回転させるときに要補修ボルト１０の軸方向と直交する方向或いは適切なネジ傾斜方向に回しているかを目視し、確認しながら力を入れることができるので、切削ミスもない。
【実施例３】
【００２０】
図４は、刃部１を４列に形成したダイス４を示す実施例３である。
【実施例４】
【００２１】
図５は、刃部１と切削屑孔２を備えたネジ切り孔３を有するダイス４本体の外周面が六角形の角形ナット部５の形状をし、そのダイス４本体の下部に角形ナット部５の径より大きい円形の係止盤６を一体的に備え、その係止盤６には刃部１のない連通したガイド孔７を設け、その連通したガイド孔７はダイス４から係止盤６に貫通するに際して所要の傾斜角度で開いた状態で形成されている実施例４を示すものである。
ガイド孔７は、要補修ボルト１０を所定位置にガイドするので、ダイス４の刃部１はボルトヘッドの正しい位置に当接してゆく。
なお、図６はガイド孔７を設けずにネジ切り孔３が前記係止盤６に貫通している実施例１の断面図である。
【００２２】
前記ガイド孔７は切削する要補修ボルト１０をネジ切り孔３へ通す際、所定の傾斜角度によりその傾斜面にボルト１０の先端部分が滑走することによりガイド効果が生じ、ネジ切り孔３の中心部に要補修ボルト１０の先端部分を収めることができる。
この傾斜面の傾斜角度はネジ切り孔３の軸芯に対して外側へ２０°〜３０°前後開いて形成されていることが好ましい。
その傾斜角度が大きすぎたり、狭すぎるとガイド孔７の斜面のガイド効果が少なくなるからである。
【００２３】
図７は、要補修ボルト１０に螺合する６角形のナットを締め付ける工具（Ｔ型六角レンチ）１１を用いて、ダイス本体４の外周面が六角形ナット部５の形状をしている本考案のネジ山修正ダイスを回して行う作業状態を説明するものである。
図７に示すような要補修ボルト１０を補修する場合、脱着可能なボルト１０でも取り付けた状態のままで補修したほうが効率的であるが、その要補修ボルト１０の両側を壁等で覆われていて狭くてハンドルダイスやその他の工具を使用できない箇所では、本考案のネジ山修正ダイス４を要補修ボルト１０に置き、この要補修ボルト１０と対になって当然に用意されているナット（図示せず）を締め付ける工具であるＴ型六角レンチ１１をダイス４の角形ナット部５に嵌め込み回転させて、破損した要補修ボルト１０を切削補修することができる。
ちなみに、要補修ボルト１０とナットを組み合わせているものには、その設置個所に応じた形態でナットを締め付ける工具１１として、スパナ（オープンエンドレンチ）、めがねレンチ、Ｔ型六角レンチ、モンキーレンチ、その他のレンチで適度な大きさのものが締め付け工具として常備されている。
【００２４】
ナットを締める作業をする場合は、通常はその場所に適合する締付け工具１１を常備しているのが当然であり、これをダイス４のハンドル代わりとして利用することは何の支障もない。
ナットの入る間隙があれば、例えばＴ型六角レンチ１１は、必ず使用できるものである。
脱着可能な要補修ボルト１０の場合で、一旦外してその要補修ボルト１０を補修するとなると、その要補修ボルト１０を万力で挟み固定して作業をすることになり、この作業は労力がおおいが、これに反してこの説明図のようにその場所でも使用できる工具１１で要補修ボルト１０をその場で補修できるので、その効果は顕著である。
補修されたボルト１０は、ナットを用いて締め付けることができるが、そのナットの締め付けも、常備した同じ工具１１でできる。
【００２５】
図８は  本考案のネジ山修正ダイスを、要補修ボルト１０のピッチ及び径毎にダイス４のサイズを対応させて形成し、それらの複数個以上を1つのセットとしているものである。
太さ寸法の異なるボルト（JIS規格）用に、数種類のダイス４をセットとして用意すれば、どのような箇所のボルトの補修にも適用できるからである。
片手による操作を余儀なくされる箇所での補修では、修正ダイス本体に磁力を持たせることなどで、補修作業の安全性を高めることもできる。
【００２６】
以下の表１にダイス４のサイズ例を示す。
表１において、実施例Ａ〜Ｅは、直径６・８・１０・１２・１４ｍｍの5種類の太さのボルトに対応する刃部１を有し、刃部１は所定のピッチと刃数を有し、外郭は角形ナット部５を有し、厚み（全体の厚みで、係止盤６の底面から角形ナット部５の頂面までの高さ）を１０ｍｍ〜１６ｍｍに形成したものの例である。
表１において、ボルト（ｍｍ）は、直径を表示し、ナット（ｍｍ）はナット部の直径、刃数は一列の刃の数、厚み（ｍｍ）はネジ山修正ダイス全体の厚さ（高さ）である。
実施例Ｂの厚み１２ｍｍの例では、ナット部５が厚み７ｍｍで、係止盤６の厚みが５ｍｍである。
【００２７】
【表１】
0003111678.tif 000003
【００２８】
例えば自動車のボルト修理においては、この５種類程度のネジ山修正ダイスをセットで備えておけば、大抵の要補修ボルト１０の補修が可能である。
【産業上の利用可能性】
【００２９】
以上のように、本考案に係るネジ山修正ダイスは、障害物によってハンドルダイスでの作業ができない場合やその使用が難しい場合に限らず、例えば鉄塔、電柱等の高所作業、野外移動作業等使用する工具を限定することが不可欠な場合などに持参し利用できる。
また、ボルトとナットで締結する部位は、建築、機械、輸送機器、など多数の技術分野で散在するものであり、夫々の分野で使用されるボルト、ナットの寸法に応じたネジ山修正ダイスを予めセットとしておけば、各分野で応用し、利用できるものである。
【図面の簡単な説明】
【００３０】
【図１】本考案に係るネジ山修正ダイスの実施例1を示すもので、３つの刃部から構成されたネジ切り孔と係止盤とを備えたネジ山修正ダイスの斜視図である。（実施例１）
【図２】図１に示すネジ山修正ダイスを底面から見た斜視図である。（実施例１）
【図３】大きい３つの刃部１から構成されたネジ山修正ダイスで、円形の係止盤に水平ラインを設けた実施例２の斜視図である。(実施例２)
【図４】４つの刃部１から構成されたネジ山修正ダイスの実施例３を示した斜視図である。(実施例３)
【図５】係止盤の中心にガイド孔７を備えたネジ山修正ダイスの縦断面図である。(実施例４)
【図６】ガイド孔７を持たないで、刃部とネジ切り孔が貫通して設けた構成のネジ山修正ダイスの縦断面図である。(実施例１)
【図７】本考案のネジ山修正ダイスを回して行う作業状態を説明するもので、既存のＴ型六角レンチを用いて、ボルトに嵌めこんだネジ山修正ダイスを回転させてボルトのサビや付着異物を切削することを示す説明斜視図である。
【図８】異なるサイズのネジ山修正ダイスを、10個セットで収納した、ネジ山修正ダイスのセットを示す斜視図である。
【図９】従来のハンドルダイスでは使用ができない障害物に囲まれて取り付けられ修正の必要なボルトを示す要補修ボルトの側面図である。
【図１０】自動車のエキゾーストパイプのスポット溶接ボルトにサビや損傷が生じた場合に、当該要補修ボルトが従来のハンドルダイスでは回転できない箇所にあることを示す斜視図である。
【符号の説明】
【００３１】
１    刃部
２    切削屑孔
３    ネジ切り孔
４    ダイス（ネジ山修正ダイス）
５    角形ナット部（六角ナット）
６    係止盤
７    ガイド孔
８    水平ライン
８１  垂直ライン
１０  要補修ボルト
１１  工具（Ｔ型レンチ）
【図１】
0003111678.tif 000004
【図２】
0003111678.tif 000005
【図３】
0003111678.tif 000006
【図４】
0003111678.tif 000007
【図５】
0003111678.tif 000008
【図６】
0003111678.tif 000009
【図７】
0003111678.tif 000010
【図８】
0003111678.tif 000011
【図９】
0003111678.tif 000012
【図１０】
0003111678.tif 000013